(57)【要約】【課題】  リモコンコードやヘッドホンコードが引張られた場合でも、リモコン部やヘッドホン端子が脱落したり、リモコンコードが劣化することを防止することができる携帯型再生装置を提供する。【解決手段】  リモコン部は、コードが接続する第１の側面と出力端子を有する第２の側面を備える本体と、表面にクリップを備え第１の側面と第２の側面を結ぶ直線方向へ本体をスライド可能に保持するクリップベースと、コードまたは出力端子が引張られることにより本体を当該引張られた方向へスライドさせ、当該引張りが解除されると引張られる前の位置へ前記本体をスライドさせる弾性体と、クリップが他の部材から外れたことを検出し脱落信号を出力する脱落検出部と、脱落信号が出力された場合再生部が出力した信号が出力端子へ出力されるのを遮断すると共に予め定めた警告信号を出力端子に出力するよう制御する出力制御部とを備える。【選択図】  図２
2006279384.tif 000002
【特許請求の範囲】
【請求項１】
信号を再生する再生部と、コードを介して前記再生部へ接続され前記再生部の動作を指示する操作釦を備えると共に前記再生部が出力した信号を出力する出力端子を備えるリモコン部を備える携帯型再生装置において、
前記リモコン部は、前記コードが接続する第１の側面と当該第１の側面と対向し前記出力端子を有する第２の側面を備える本体と、前記第１の側面と前記第２の側面を結ぶ直線方向へ前記本体をスライド可能に保持するクリップベースと、前記クリップベースの表面に固定され当該クリップベースとの間に他の部材を狭持するクリップと、前記コードまたは前記出力端子が引張られることにより前記本体を当該引張られた方向へスライドさせ、当該引張りが解除されると引張られる前の位置へ前記本体をスライドさせる弾性体と、前記クリップが他の部材から外れたことを検出したとき前記リモコン部が他の部材から脱落したことを示す脱落信号を出力する脱落検出部と、前記脱落検出部から脱落信号が出力されたとき前記再生部が出力した信号が前記出力端子に出力されるのを遮断すると共に予め定めた警告信号を前記出力端子に出力するよう制御する出力制御部とを備えることを特徴とする携帯型再生装置。
【発明の詳細な説明】
【技術分野】
【０００１】
本発明は、信号を再生する再生部と、コードを介して前記再生部へ接続され前記再生部の動作を指示する操作釦を備えると共に前記再生部が出力した信号を出力する出力端子を備えるリモコン部を備える携帯型再生装置に関する。
【背景技術】
【０００２】
図５は、従来の携帯型再生装置を示す斜視図である。
携帯型再生装置１００は、再生部２、ヘッドホン４、クリップ８及びリモコン部３００を備える。再生部２は、記憶媒体２０１及び制御部２０２を備える。記憶媒体２０１はオーディオ信号を記憶する。
【０００３】
リモコン部３００は、リモコンコード５によって再生部２と電気的に接続されている。リモコン部３００は、箱型を成し、上面に操作ボタン３０１を備える。リモコン部３００は、側面にリモコンコード５が接続され、リモコンコード５が接続された側面と対向する側面に出力端子３０２が配設されている。
【０００４】
クリップ８は、リモコン部３００の下面に固定され、例えば、洋服等のポケットの縁を挟み込むことによりリモコン部３００をポケットへ固定する。
【０００５】
操作ボタン３０１は、押圧されることにより、再生部２へオーディオ信号の再生または停止を指示する指示信号を出力する。また、操作ボタン３０１は、押圧されることにより、再生部２へオーディオ信号の信号レベルの増大または減少を指示する指示信号を出力する。制御部２０２は、リモコンコード５を介して操作ボタン３０１からオーディオ信号の再生または停止を指示する指示信号が入力されると、記憶媒体２０１に記憶されているオーディオ信号を再生または停止するよう制御する。リモコン部３００は、リモコンコード５を介して再生部２から出力されたオーディオ信号を入力し、出力端子３０２へオーディオ信号を出力する。
【０００６】
ヘッドホン４は、ヘッドホンコード４０１及びヘッドホン端子４０２を備える。ヘッドホン端子４０２は、出力端子３０２に挿入することにより、リモコン部３００に取付られる。ヘッドホン４は、ヘッドホン端子４０２及びヘッドホンコード４０１を介して出力端子３０２から出力されたオーディオ信号を楽音として出力する。
【０００７】
以上の構成により、携帯型再生装置１００の使用者は、例えば、ヘッドホン４を装着し、洋服のポケットの縁等をクリップ８に挟み込んでリモコン部３００をポケットに固定することにより、移動している最中でも、ポケットに固定したリモコン部３００の操作ボタン３０１を操作することにより、ヘッドホン４からオーディオ信号の再生や停止の操作をすることができる。
【０００８】
また、従来の携帯型再生装置において、リモコン部に対してクリップを回転させてクリップの固定位置を変化させる構成とすることにより、リモコン部の角度がリモコンコードやヘッドホンコードに対して不自然な向きとなるのを防止すると共にヘッドホンコードが折れ曲がったりすることを防止する携帯用リモートコントロール器がある（例えば、特許文献１参照）。
【０００９】
【特許文献１】特開平５−１６０７４９号公報
【発明の開示】
【発明が解決しようとする課題】
【００１０】
従来の携帯型再生装置１００は、再生部２とリモコン部３００をリモコンコード５によって接続し、リモコン部３００とヘッドホン４をヘッドホンコード４０１によって接続している。このため、従来の携帯型再生装置１００の使用者は、時として腕を動かした際に使用者の腕がリモコンコード５及びヘッドホンコード４０１に絡み、リモコンコード５やヘッドホンコード４０１を引張ってしまうことがある。
【００１１】
図６は、従来の携帯型再生装置１００のリモコン部３００を示す図で、図６（ａ）はリモコンコード５が引張られた状態を示す図、図６（ｂ）はヘッドホンコード４０１が引張られた状態を示す図である。
【００１２】
図６（ａ）に示すように、使用者の腕がリモコンコード５に絡み、リモコンコード５が矢印Ａ方向へ引張られると、リモコンコード５が劣化してしまう虞がある。また、図６（ｂ）に示すように、使用者の腕がヘッドホンコード４０１に絡み、ヘッドホンコード４０１が矢印Ｂ方向へ引張られると、使用者のポケット１０を挟み込んでいるクリップ８がポケット１０から外れ、リモコン部３００がポケット１０から脱落したり、ヘッドホン端子４０２が出力端子３０２から抜け落ちたりしてしまうことがある。
【００１３】
また、特許文献１に開示されている発明を用いても、上述したようにリモコンコードやヘッドホンコードが引張られた場合には、リモコン部やヘッドホン端子が脱落したり、リモコンコードが劣化することを防止することができない。
【００１４】
本発明は、リモコンコード及びヘッドホンコードによって再生部およびヘッドホンと接続されたリモコン部を備える携帯型再生装置において、リモコンコードやヘッドホンコードが引張られた場合でも、リモコン部やヘッドホン端子が脱落したり、リモコンコードが劣化することを防止することができる携帯型再生装置を提供することを目的とする。
【課題を解決するための手段】
【００１５】
本願の請求項１記載の発明は、信号を再生する再生部と、コードを介して前記再生部へ接続され前記再生部の動作を指示する操作釦を備えると共に前記再生部が出力した信号を出力する出力端子を備えるリモコン部を備える携帯型再生装置において、前記リモコン部は、前記コードが接続する第１の側面と当該第１の側面と対向し前記出力端子を有する第２の側面を備える本体と、前記第１の側面と前記第２の側面を結ぶ直線方向へ前記本体をスライド可能に保持するクリップベースと、前記クリップベースの表面に固定され当該クリップベースとの間に他の部材を狭持するクリップと、前記コードまたは前記出力端子が引張られることにより前記本体を当該引張られた方向へスライドさせ、当該引張りが解除されると引張られる前の位置へ前記本体をスライドさせる弾性体と、前記クリップが他の部材から外れたことを検出したとき前記リモコン部が他の部材から脱落したことを示す脱落信号を出力する脱落検出部と、前記脱落検出部から脱落信号が出力されたとき前記再生部が出力した信号が前記出力端子に出力されるのを遮断すると共に予め定めた警告信号を前記出力端子に出力するよう制御する出力制御部とを備えることを特徴とする。
【発明の効果】
【００１６】
本発明の携帯型再生装置によれば、リモコンコード及びヘッドホンコードによって再生部およびヘッドホンと接続されたリモコン部を備える携帯型再生装置において、リモコンコードやヘッドホンコードが引張られた場合でも、リモコン部やヘッドホン端子が脱落したり、リモコンコードが劣化することを防止することを防止することができる携帯型再生装置を提供することができる。
【００１７】
また、本発明の携帯型再生装置によれば、万一、クリップがポケットから外れ、リモコン部がポケットから脱落した場合でも、操作ボタンが不用意に押圧されて、信号レベルが非常に増大したオーディオ信号がヘッドホン４から出力されることを防止することができると共に、リモコン部が脱落したことを使用者へ即座に認識させることができる。
【発明を実施するための最良の形態】
【００１８】
以下、本発明の実施の形態を図面に基づいて説明する。
図１は、本発明の携帯型再生装置の一実施例を示す斜視図である。
携帯型再生装置１は、再生部２、リモコン部３、ヘッドホン４及びクリップ８を備える。再生部２は、記憶媒体２０１及び制御部２０２を備える。記憶媒体２０１はオーディオ信号を記憶する。
【００１９】
リモコン部３は、リモコンコード５によって再生部２と電気的に接続されている。リモコン部３は、上面に操作ボタン３０１を備える。リモコン部３は、側面（第１の側面）にリモコンコード５が接続され、当該第１の側面と対向する側面（第２の側面）に出力端子３０２が配設されている。
【００２０】
クリップ８は、リモコン部３の下面に取付けられ、例えば、洋服等のポケットの縁を挟み込むことによりリモコン部３をポケットへ固定する。
【００２１】
操作ボタン３０１は、押圧されることにより、再生部２へオーディオ信号の再生または停止を指示する指示信号を出力する。制御部２０２は、リモコンコード５を介して操作ボタン３０１からオーディオ信号の再生または停止を指示する指示信号が入力されると、記憶媒体２０１に記憶されているオーディオ信号を再生または停止するよう制御する。リモコン部３は、リモコンコード５を介して再生部２から出力されたオーディオ信号を入力し、出力端子３０２へオーディオ信号を出力する。
【００２２】
ヘッドホン４は、ヘッドホンコード４０１及びヘッドホン端子４０２を備える。ヘッドホン端子４０２は、出力端子３０２に挿入することにより、リモコン部３に保持される。ヘッドホン４は、ヘッドホン端子４０２及びヘッドホンコード４０１を介して出力端子３０２から出力されたオーディオ信号を楽音として出力する。
【００２３】
図２は、本実施例のリモコン部３の構成を示す図で、図２（ａ）は正面図、図２（ｂ）は側面図である。
リモコン部３は、本体３０、クリップベース部３１、第１のスプリング６、第２のスプリング７、脱落検出部１１及び出力制御部１２を備える。
【００２４】
クリップ８は、薄い板状の金属部材から成り、図２に示すように、一端がクリップベース部３１の下面に固定され、他端がクリップベース部３１の下面に当接する。リモコン部３は、クリップ８をポケット等の他の部材に差し込み、クリップベース部３１の下面とクリップ８の先端とによって他の部材を狭持することにより当該他の部材に固定される。
【００２５】
クリップベース部３１は、クリップ８と当接する下面に図示しない金属部材を備える。脱落検出部１１は、クリップ８がクリップベース部３１の下面に備える金属部材に当接し、当該クリップ８の先端と金属部材とが電気的に接続されているか否かを検出する。脱落検出部１１は、クリップ８と金属部材とが電気的に接続しているか否かを検出することによって、クリップ８とクリップベース部３１との間に他の部材を狭持しているか否かを検出する。脱落検出部１１は、クリップ８とクリップベース部３１との間に他の部材を狭持していないことを検出した場合、リモコン部３が他の部材から脱落したことを示す脱落信号を出力制御部１２に出力する。
【００２６】
出力制御部１２は、脱落検出部１１から脱落信号が出力されると、再生部２が出力したオーディオ信号が出力端子３０２に出力されるのを遮断すると同時に、予め図示しない記憶部に記憶されているビープ音等の警告音を出力端子３０２に出力するよう制御する。
【００２７】
本体３０は、箱型を成し、上面に操作ボタン３０１が配設されている。図２（ａ）に示すように、本体３０の左右の側面には、前後方向にコの字型を成す溝部３０３を備える。図２（ｂ）に示すように、本体３０の下面には、凹部３０４が形成され、前面に前面壁３０５を備え、後面に後面壁３０６を備える。リモコンコード５は、本体３０の前面（第１の側面）に接続され、出力端子３０２は本体３０の後面（第２の側面）に配設されている。
【００２８】
図２（ａ）に示すように、クリップベース部３１は、左右端に上方へ突出するアーム３１１を備える。アーム３１１は、上端に本体３０の中央方向へ突出する爪部３１２を備える。爪部３１２は、溝部３０３に嵌合し、図２（ｂ）に示すように、矢印Ａ方向及び矢印Ｂ方向へスライドする。クリップベース部３１は、上面の略中央に凸部３１３を備える。
【００２９】
第１のスプリング６は、一端が前面壁３０５の内壁に備える図示しないフックへ掛架され、他端が凸部３１３に備える図示しないフックへ掛架されている。第２のスプリング７は、一端が後面壁３０６の内壁に備える図示しないフックに掛架され、他端が凸部３１３に備える図示しないフックへ掛架されている。
【００３０】
図３は、本実施例のリモコン部３が引張られた状態を説明する図で、図３（ａ）はリモコンコード５が引張られた状態を示す図、図３（ｂ）はヘッドホンコード４０１が引張られた状態を示す図である。
【００３１】
図３（ａ）に示すように、使用者の腕がリモコンコード５に絡み、リモコンコード５が矢印Ａ方向へ引張られた場合、本体３０は、クリップベース部３１に対して矢印Ａ方向へスライドする。このとき、第１のスプリング６は、前面壁３０５が矢印Ａ方向へ移動することによって延ばされ、第２のスプリング７は、後面壁３０６が矢印Ａ方向へ移動することによって圧縮される。矢印Ａ方向への引張りが解除されると、本体３０は、第１のスプリング６及び第２のスプリング７の弾性により、図２（ｂ）に示す、元の位置へ戻る。
【００３２】
これにより、使用者の腕がリモコンコード５に絡み、リモコンコードが矢印Ａ方向へ引張られた場合でも、本体３０が矢印Ａ方向へスライドすることにより、リモコンコード５が劣化することを防止することができる。
【００３３】
図３（ｂ）に示すように、使用者の腕がヘッドホンコード４０１に絡み、ヘッドホンコード４０１が矢印Ｂ方向へ引張られた場合、本体３０は、クリップベース部３１に対して矢印Ｂ方向へスライドする。このとき、第２のスプリング７は、後面壁３０６が矢印Ｂ方向へ移動することによって延ばされ、第１のスプリング６は、前面壁３０５が矢印Ｂ方向へ移動することによって圧縮される。矢印Ｂ方向への引張りが解除されると、本体３０は、第１のスプリング６及び第２のスプリング７の弾性により、図２（ｂ）に示す、元の位置へ戻る。
【００３４】
これにより、使用者の腕がヘッドホンコード４０１に絡み、ヘッドホンコード４０１が矢印Ｂ方向へ引張られた場合でも、本体３０が矢印Ｂ方向へスライドすることにより、ポケット１０を挟み込んでいるクリップ８がポケット１０から外れ、リモコン部３がポケット１０から脱落したり、ヘッドホン端子４０２が出力端子３０２から抜け落ちたりしてしまうことを防止することができる。
【００３５】
したがって、本実施例の携帯型再生装置１は、リモコンコード５やヘッドホンコード４０１が引張られた場合でも、リモコン部３がポケット１０から脱落したり、リモコンコード５が劣化することを防止することができる。
【００３６】
図４は、洋服のポケットの縁をクリップ８とクリップベース部３１とによって挟み込んでリモコン部３をポケットに固定していた状態からリモコン部３がポケットから脱落した状態を説明する図である。
リモコン部３がポケットの縁から脱落すると、クリップ８及びクリップベース部３１の下面がポケットの縁から外れ、クリップ８とクリップベース部３１の下面の金属部材とが電気的に接続する。脱落検出部１１は、クリップ８と金属部材とが電気的に接続することにより、リモコン部３が他の部材から脱落したことを示す脱落信号を出力制御部１２に出力する。出力制御部１２は、脱落検出部１１から脱落信号が出力されると、再生部２が出力したオーディオ信号が出力端子３０２に出力されるのを遮断すると同時に、予め図示しない記憶部に記憶されているビープ音を出力端子３０２に出力するよう制御する。
【００３７】
これにより、本実施例の携帯型再生装置１は、万一、リモコン部３がポケット１０から脱落してしまっても、操作ボタン３０１が他の部材によって断続的に押圧され、再生部２から出力されるオーディオ信号の信号レベルが急激に増大し、この信号レベルが急激に増大したオーディオ信号がヘッドホン４から出力されることを防止することができる。
【００３８】
また、本実施例の携帯型再生装置１は、リモコン部３がポケット１０から脱落した場合、ビープ音等の警告音が出力端子３０２から出力されることにより、それまでヘッドホン４でオーディオ信号を聴取していた使用者が即座にリモコン部３が脱落したことを認識することができる。したがって、リモコン部３がポケット１０から脱落したことを使用者が気づかない間に、リモコン部３とリモコンコード５によって接続された再生部２がリモコン部３によって牽引され、リモコン部３と同様に再生部２がポケット等から脱落してしまうことを防止することができる。
【図面の簡単な説明】
【００３９】
【図１】本発明の携帯型再生装置の一実施例を示す斜視図。
【図２】本実施例のリモコン部３の構成を示す図で、図２（ａ）は正面図、図２（ｂ）は側面図。
【図３】本実施例のリモコン部３が引張られた状態を説明する図で、図３（ａ）はリモコンコード５が引張られた状態を示す図、図３（ｂ）はヘッドホンコード４０１が引張られた状態を示す図。
【図４】洋服のポケットの縁をクリップ８とクリップベース部３１とによって挟み込んでリモコン部３をポケットに固定していた状態からリモコン部３がポケットから脱落した状態を説明する図。
【図５】従来の携帯型再生装置を示す斜視図。
【図６】従来の携帯型再生装置１００のリモコン部３００を示す図で、図６（ａ）はリモコンコード５が引張られた状態を示す図、図６（ｂ）はヘッドホンコード４０１が引張られた状態を示す図。
【符号の説明】
【００４０】
１  携帯型再生装置、２  再生部、２０１  記憶媒体、２０２  制御部、３  リモコン部、３０  本体、３０１  操作ボタン、３０２  出力端子、３０３  溝部、３０４  凹部、
３０５  前面壁、３０６  後面壁、
３１  クリップベース部、３１１  アーム、３１２  爪部、３１３  凸部、
４  ヘッドホン、４０１  ヘッドホンコード、４０２  ヘッドホン端子、
５  リモコンコード、６  第１のスプリング、７  第２のスプリング、８  クリップ、
１０  ポケット、１１  脱落検出部、１２  出力制御部、
１００  携帯型再生装置、３００  リモコン部
【図１】
2006279384.tif 000003
【図２】
2006279384.tif 000004
【図３】
2006279384.tif 000005
【図４】
2006279384.tif 000006
【図５】
2006279384.tif 000007
【図６】
2006279384.tif 000008